(57)【要約】【課題】主に建物内において主に白杖を使用している視覚障害者の誘導が可能であり、かつ、健常者や車イス使用者にとっても歩行、通行のし易い視覚障害者誘導用床システムを構成する誘導用床タイル及び警告用床タイルの施工方法を提供する。【解決手段】床面１の凹部２に、経時的に固化する液状合成樹脂材３を充填し、液状合成樹脂材３を固化させて平坦面とし、固化された液状合成樹脂材３を含む床面１上に、誘導用床タイル１０１及び警告用床タイル１０３を貼着する。【選択図】図１
2012184646.tif 000002
【特許請求の範囲】
【請求項１】
床面上に視覚障害者により他の領域と区別され得る視覚障害者誘導領域を敷設し、この視覚障害者誘導領域により誘導経路を構成して、視覚障害者を誘導する視覚障害者誘導用床システムを構成する誘導用床タイル及び警告用床タイルを床面上に施工する方法であって、
前記床面の凹部に、経時的に固化する液状合成樹脂材を充填し、
前記液状合成樹脂材を固化させて平坦面とし、
前記固化された液状合成樹脂材を含む床面上に、誘導用床タイル及び警告用床タイルを貼着する
ことを特徴とする視覚障害者誘導用床システムの施工方法。
【請求項２】
前記液状合成樹脂材は、エポキシ樹脂、不飽和ポリエステル樹脂、硬質ウレタン樹脂、アクリルモノマ・重合開始剤混合物、紫外線硬化型樹脂のいずれかである
ことを特徴とする請求項１記載の視覚障害者誘導用床システムの施工方法。
【発明の詳細な説明】
【技術分野】
【０００１】
本発明は、主に屋内において視覚障害者を誘導する視覚障害者誘導用床システムを構成する誘導用床タイル及び警告用床タイルを施工する施工方法に関する。
【背景技術】
【０００２】
本件出願人は、先に、特願２０１０−１２５３８２において、視覚障害者を誘導する視覚障害者誘導用床システムを提案している。この視覚障害者誘導用床システムは、特許文献１に記載されているように、主に建物内において、主に白杖を使用している視覚障害者の誘導が可能であり、かつ、健常者や車イス使用者にとっても歩行、通行のし易い視覚障害者誘導用床システムを提供するものである。
【０００３】
この視覚障害者誘導用床システムにおいては、図２に示すように、床面上に視覚障害者により他の領域１０２と区別され得る視覚障害者誘導領域１０１を敷設して誘導経路を構成する。誘導経路は、分岐点に、警告パターンが形成された視覚障害者警告領域１０３を有している。警告パターンは、互いの高低差が３ｍｍ以内であって、かつ、視覚障害者誘導領域１の他の領域２の表面に対する高低差が３ｍｍ以内である凹部及び凸部からなり、これら凹部及び凸部のいずれか一方は、網目状パターンをなし、他方は、ドット状パターンをなしている。
【先行技術文献】
【特許文献】
【０００４】
【特許文献１】特開２０１１−０１２５３８号公報
【発明の概要】
【発明が解決しようとする課題】
【０００５】
ところで、前述した視覚障害者誘導用床システムを構成するためには、視覚障害者誘導領域を構成する誘導用床タイル１０１を施工することが必要である。また、視覚障害者警告領域を構成するため、警告パターンを有する警告用床タイル１０３を施工することが必要である。
【０００６】
しかしながら、このような誘導用床タイル１０１や警告用床タイル１０３は、本件出願人が提案した新規なものであり、その施工方法が提案されていない。これら誘導用床タイル１０１や警告用床タイル１０３は、床上に設置され、歩行者がこの上を歩くとともに、白杖の先端部が摺接される状態に置かれるため、十分な耐久性を有して、また、十分な平坦度を有して施工されることが要求される。
【０００７】
したがって、このような誘導用床タイル１０１及び警告用床タイル１０３の施工方法を提案する必要がある。また、施工が容易であって、低コストで誘導用床タイル１０１及び警告用床タイル１０３を施工することができる施工方法の提案が望まれている。
【０００８】
そこで、本発明は、前述の実情に鑑みて提案されるものであって、視覚障害者誘導用床システムを施工するため、誘導用床タイル及び警告用床タイルを、十分な耐久性及び平坦度を有して、容易、かつ、低コストで施工することができる施工方法を提案することを目的とする。
【課題を解決するための手段】
【０００９】
本発明においては、白杖による検出が可能でかつ限りなくフラットに近い凸部を有する誘導用床タイル及び警告用床タイルを、容易、かつ、低コストで施工することを可能とするため、以下の構成を備えるものである。
【００１０】
〔構成１〕
床面上に視覚障害者により他の領域と区別され得る視覚障害者誘導領域を敷設し視覚障害者誘導領域により誘導経路を構成して視覚障害者を誘導する視覚障害者誘導用床システムを構成する誘導用床タイル及び警告用床タイルを床面上に施工する方法であって、床面の凹部に経時的に固化する液状合成樹脂材を充填し、液状合成樹脂材を固化させて平坦面とし、固化された液状合成樹脂材を含む床面上に誘導用床タイル及び警告用床タイルを貼着することを特徴とするものである。
【００１１】
〔構成２〕
構成１を有する視覚障害者誘導用床システムの施工方法において、液状合成樹脂材は、エポキシ樹脂、不飽和ポリエステル樹脂、硬質ウレタン樹脂、アクリルモノマ・重合開始剤混合物、紫外線硬化型樹脂のいずれかであることを特徴とするものである。
【発明の効果】
【００１２】
本発明に係る視覚障害者誘導用床システムを構成する誘導用床タイル及び警告用床タイルの施工方法においては、構成１を有することにより、床面の凹部に経時的に固化する液状合成樹脂材を充填し、液状合成樹脂材を固化させて平坦面とし、固化された液状合成樹脂材を含む床面上に誘導用床タイル及び警告用床タイルを貼着するので、十分な耐久性及び平坦度を有して、容易、かつ、低コストで、誘導用床タイル及び警告用床タイルを施工することができる。
【００１３】
すなわち、本発明は、視覚障害者誘導用床システムを施工するため、誘導用床タイル及び警告用床タイルを、十分な耐久性及び平坦度を有して、容易、かつ、低コストで施工することができる施工方法を提案することができるものである。
【図面の簡単な説明】
【００１４】
【図１】本発明に係る視覚障害者誘導用床システムを構成する誘導用床タイル及び警告用床タイルの施工方法の手順を示す側面図である。
【図２】本発明に係る施工方法により製造される視覚障害者誘導用床システムの構成を示す平面図である。
【発明を実施するための形態】
【００１５】
以下、本発明の実施の形態について、図面を参照して説明する。
【００１６】
本発明は、本件出願人が特願２０１０−１２５３８２において提案した視覚障害者誘導用床システムにおける視覚障害者誘導領域を構成するために使用される誘導用床タイル及び警告用床タイルを施工する施工方法に係るものである。
【００１７】
この視覚障害者誘導用床システムにおける誘導用床タイル及び警告用床タイルは、それぞれ表面上に誘導パターン及び警告パターンが形成され、床面上に設置される薄板状の部材である。
【００１８】
誘導パターン及び警告パターンは、互いの高低差が３ｍｍ以内であって、かつ、視覚障害者誘導領域の他の領域の表面に対する高低差が３ｍｍ以内である凹部及び凸部からなる。
【００１９】
誘導パターンにおいては、凹部及び凸部が、視覚障害者を誘導しようとする方向の線状パターンをなしている。警告パターンにおいては、凹部及び凸部のいずれか一方は、網目状パターンをなし、他方は、ドット状パターンをなしている。
【００２０】
警告パターン及び誘導パターンは、白杖によって認識することができ、白杖を使用している視覚障害者に警告及び誘導方向を伝えることが可能なものである。
【００２１】
誘導パターン及び誘導パターンの凸部は、従来のＪＩＳ９２５１に規定されている突起の高さよりも低いものである。凸部の高さは、３．１〜３．３ｍｍにしても足裏で検知可能であることから、その上を歩行する際には、下肢のバランスを保持するために身体に負担がかかり、躓きの原因となりうる。また、車椅子使用者にはこの突起を越えるために大きな負担を強いられる。ベビーカー利用者にとっては、移動のしづらさや赤ちゃんへの振動の影響が大きい。杖使用者にとっては、歩行バランスを崩す恐れがある。
【００２２】
したがって、凸部の高さを３ｍｍ以下にすれば、足裏での検知が不可能となり、その上を歩行する際の身体への負担がなくなり、躓きの原因とならない。また、車椅子使用者は、この凸部を越えるための負担がない。ベビーカー利用者にとっても、移動のしづらさや赤ちゃんへの振動の影響がなくなる。杖使用者にとっても、歩行バランスを崩す恐れがない。
【００２３】
警告パターンの形状は、凹部及び凸部のいずれか一方が網目状パターンをなし、他方がドット状パターンをなすものであり、典型的には、凸部をドット状パターンとし、このドットの間を埋める網目状パターンを凹部としたものである。警告パターンのドット状パターンにおけるドットの配列は、任意のドットとこのドットに最も近い隣接するドットとを結ぶ線が、視覚障害者を誘導しようとする方向に対して平行、または、直交している平行格子配列でもよいし、視覚障害者を誘導しようとする方向に対して傾斜している千鳥配列としてもよい。
【００２４】
なお、警告パターンのドット状パターンにおけるドットの配列を千鳥配列とした場合には、凹部及び凸部は、互いの高低差を１ｍｍ以上１．５ｍｍ以内、かつ、視覚障害者誘導領域の他の領域の表面に対する高低差を１ｍｍ以上１．５ｍｍ以内としてもよい。
【００２５】
警告パターンにおいては、ドット状パターンを形成する各ドットの面積の合計は、視覚障害者警告領域の面積の５％以上であることが望ましい。また、ドット状パターンを形成する各ドットの面積の合計は、視覚障害者警告領域の面積の５％以上６０％未満であることが望ましい。
【００２６】
〔第１の実施の形態〕
図１は、本発明に係る視覚障害者誘導用床システムを構成する誘導用床タイル及び警告用床タイルの施工方法の手順を示す側面図である。
【００２７】
本発明に係る視覚障害者誘導用床システムの施工方法は、図１中の（ａ）に示すように、凹凸のある床面１上においても、誘導用床タイル及び警告用床タイルを平坦な状態に施工するための施工方法である。ここでは、床面１上の凹部２があり、この凹部２上に誘導用床タイル、または、警告用床タイルを施工する場合を考える。
【００２８】
まず、図１中の（ｂ）に示すように、床面１の凹部２内に、経時的に固化する液状合成樹脂材３を充填する。液状合成樹脂材３としては、エポキシ樹脂、不飽和ポリエステル樹脂、硬質ウレタン樹脂など、常温で流し込みが可能な材料を用いることができる。液状合成樹脂材３としては、当初は液体であり、時間の経過とともに、または、加熱することや紫外線を照射すること等により固化する合成樹脂材が好ましく、エポキシ樹脂などの他には、例えば、アクリルモノマ・重合開始剤混合物や、アクリル系紫外線硬化型樹脂、その他の紫外線硬化型樹脂などを用いることができる。
【００２９】
液状合成樹脂材３の表面は、液状合成樹脂材３が液体であることにより、水平な平坦面となる。そして、液状合成樹脂材３を固化させると、液状合成樹脂材３の表面は、水平な平坦面のままで固化される。
【００３０】
そして、図１中の（ｃ）に示すように、固化された液状合成樹脂材３を含む床面１上に、誘導用床タイル１０１、または、警告用床タイル１０３を貼着する。誘導用床タイル１０１及び警告用床タイル１０３の貼着は、両面粘着シート４を用いて行うことができる。
【００３１】
固化された液状合成樹脂材３は、十分な剛性を有しているので、誘導用床タイル１０１及び警告用床タイル１０３が可撓性を有していても、誘導用床タイル１０１及び警告用床タイル１０３を踏んだときに、誘導用床タイル１０１及び警告用床タイル１０３が凹部２内に落ち込んでしまうことはない。
【００３２】
このようにして、十分な耐久性及び平坦度を有して、容易、かつ、低コストで、誘導用床タイル１０１及び警告用床タイル１０３を施工することができる。
【００３３】
なお、誘導用床タイル１０１及び警告用床タイル１０３を貼着する範囲内に凹部２が複数存在する場合や、床面１の表面上が細かい凹凸を有する粗面となっている場合であっても、前述と同様の手順により、誘導用床タイル１０１及び警告用床タイル１０３を平坦に施工することができる。
【産業上の利用可能性】
【００３４】
本発明は、主に屋内において視覚障害者を誘導する視覚障害者誘導用床システムを構成する誘導用床タイル及び警告用床タイルを施工する施工方法に適用される。
【符号の説明】
【００３５】
１  床面
２  凹部
３  液状合成樹脂材
１０１  誘導用床タイル
１０２  その他の領域
１０３  警告用床タイル
【図１】
2012184646.tif 000003
【図２】
2012184646.tif 000004